(57)【要約】【課題】眼鏡装用パラメータの測定のための撮像画像に関するキャリブレーションを簡便かつ精度良く行うことを可能にする。【解決手段】眼鏡フレームを装用した被験者の眼鏡装用パラメータについて測定を行う際に用いられる測定補助具１を、前記眼鏡フレームまたは前記被験者の顔の少なくとも一方と所定関係の位置に配される第一部材１０と、前記眼鏡装用パラメータの測定のために前記眼鏡フレームを装用した状態の前記被験者の顔と共に撮像される被撮像面２１を有し、当該被撮像面２１に所定サイズの測定基準スケール２２が形成されてなる第二部材２０と、前記第一部材１０に対する前記第二部材２０の相対位置を移動可能となるように、前記第一部材１０と前記第二部材２０とを連結する連結部３０と、を備えて構成する。【選択図】図２
2015049378.tif 000002
【特許請求の範囲】
【請求項１】
眼鏡フレームを装用する被験者の眼鏡装用パラメータについて測定を行う際に用いられる測定補助具であって、
前記眼鏡フレームまたは前記被験者の顔の少なくとも一方と所定関係の位置に配される第一部材と、
前記眼鏡装用パラメータの測定のために前記眼鏡フレームを装用した状態の前記被験者の顔と共に撮像される被撮像面を有し、当該被撮像面に所定サイズの測定基準スケールが形成されてなる第二部材と、
前記第一部材に対する前記第二部材の相対位置が移動可能となるように、前記第一部材と前記第二部材とを連結する連結部と、
を備えることを特徴とする測定補助具。
【請求項２】
前記第二部材が移動される位置には、前記第二部材における前記被撮像面が前記被験者の顔側面と共に撮像される位置と、前記第二部材における前記被撮像面が前記被験者の顔正面と共に撮像される位置とが含まれる
ことを特徴とする請求項１記載の測定補助具。
【請求項３】
前記眼鏡装用パラメータには、前記被験者が前記眼鏡フレームを装用した状態における角膜頂点間距離と、当該状態のおけるフィッティングポイント位置または瞳孔間距離の少なくとも一方と、が含まれる
ことを特徴とする請求項１または２記載の測定補助具。
【請求項４】
前記第一部材および前記第二部材は、板状に形成され、
前記連結部は、前記第一部材と前記第二部材とを所定角度範囲内で回転可能にするヒンジ機構によって構成されている
ことを特徴とする請求項１から３のいずれか１項に記載の測定補助具。
【請求項５】
眼鏡フレームを装用する被験者の眼鏡装用パラメータについて測定を行う際に用いられる測定補助方法であって、
第一部材に対する第二部材の相対位置が移動可能となるように前記第一部材と前記第二部材とが連結部を介して連結されてなる測定補助具を用意するとともに、当該測定補助具の前記第二部材が有する被撮像面に所定サイズの測定基準スケールを形成しておき、
前記測定補助具における前記第一部材を前記眼鏡フレームまたは前記被験者の顔の少なくとも一方と所定関係の位置に配し、
前記第一部材に連結する前記第二部材を、前記被撮像面が前記被験者の顔側面または顔正面のいずれか一方と共に撮像されるように位置させ、その状態で得られる撮像結果に含まれる前記被撮像面上の前記測定基準スケールを基に当該撮像結果の寸法キャリブレーションを行い、
前記眼鏡フレームまたは前記被験者の顔の少なくとも一方と前記第一部材との位置関係を維持したまま当該第一部材に対する前記第二部材の相対位置を移動して、当該第二部材を前記顔側面または前記顔正面のいずれか他方と共に撮像されるように位置させ、その状態で得られる撮像結果に含まれる前記被撮像面上の前記測定基準スケールを基に当該撮像結果の寸法キャリブレーションを行う
ことを特徴とする測定補助方法。
【発明の詳細な説明】
【技術分野】
【０００１】
本発明は、眼鏡装用パラメータについて測定を行う際に用いられる測定補助具および測定補助方法に関する。
【背景技術】
【０００２】
一般に、眼鏡レンズの作製には、眼鏡装用者が眼鏡フレームを装用した状態で測定される眼鏡装用パラメータが必要となる。眼鏡装用パラメータとしては、角膜頂点間距離、フレーム前傾角、フィッティングポイント位置、瞳孔間距離、フレーム反り角等がある。
【０００３】
眼鏡装用パラメータの測定は、例えば、専用の眼鏡装用パラメータ測定装置を用いて行われる。眼鏡装用パラメータ測定装置としては、被験者となる眼鏡装用者の顔の位置決めを行った上で、その被験者の顔側面および顔正面を撮像し、その撮像結果である画像を基に、各種眼鏡装用パラメータを演算して求めるように構成されたものがある（例えば、特許文献１参照）。
【先行技術文献】
【特許文献】
【０００４】
【特許文献１】特許第５０１３９３０号公報
【発明の概要】
【発明が解決しようとする課題】
【０００５】
特許文献１に開示された眼鏡装用パラメータ測定装置においては、被験者の顎を顎受け台に載せ、額を額当て部に当てさせた状態で、被験者の顔の位置決めを行う必要がある。そのため、被験者によっては、眼鏡装用パラメータの測定にあたり、窮屈さを感じてしまうおそれがある。
これを解消するためには、例えば、被験者の顔を位置決めすることなく、被験者が自然な姿勢の状態のまま、被験者の顔側面および顔正面を撮像することが考えられる。ところが、その場合は、被験者の顔の位置と撮像を行うカメラ部との間の距離が不確定となるため、カメラ部の倍率だけでは撮像画像上での物体の大きさを特定することができない。つまり、被験者の顔の位置決めを不要にする場合は、実空間内での物体の大きさと撮像画像上での当該物体の大きさとを関連付けるためのキャリブレーション（較正）を可能にする何等かの手段が必要となる。
ただし、キャリブレーションのための手段は、被験者の顔側面の画像および顔正面の画像のそれぞれについてキャリブレーションを行う場合であっても、装置構成の複雑化や測定処理の煩雑化等を招くものであることは望ましくない。
【０００６】
そこで、本発明は、眼鏡装用パラメータの測定にあたり、その測定のための撮像画像に関するキャリブレーションを、簡便かつ精度良く行うことを実現可能にする測定補助具および測定補助方法を提供することを目的とする。
【課題を解決するための手段】
【０００７】
本発明は、上記目的を達成するために案出されたものである。
本発明の第１の態様は、眼鏡フレームを装用する被験者の眼鏡装用パラメータについて測定を行う際に用いられる測定補助具であって、前記眼鏡フレームまたは前記被験者の顔の少なくとも一方と所定関係の位置に配される第一部材と、前記眼鏡装用パラメータの測定のために前記眼鏡フレームを装用した状態の前記被験者の顔と共に撮像される被撮像面を有し、当該被撮像面に所定サイズの測定基準スケールが形成されてなる第二部材と、前記第一部材に対する前記第二部材の相対位置が移動可能となるように、前記第一部材と前記第二部材とを連結する連結部と、を備えることを特徴とする測定補助具である。
本発明の第２の態様は、第１の態様に記載の測定補助具において、前記第二部材が移動される位置には、前記第二部材における前記被撮像面が前記被験者の顔側面と共に撮像される位置と、前記第二部材における前記被撮像面が前記被験者の顔正面と共に撮像される位置とが含まれることを特徴とする。
本発明の第３の態様は、第１または第２の態様に記載の測定補助具において、前記眼鏡装用パラメータには、前記被験者が前記眼鏡フレームを装用した状態における角膜頂点間距離と、当該状態のおけるフィッティングポイント位置または瞳孔間距離の少なくとも一方と、が含まれることを特徴とする。
本発明の第４の態様は、第１から第３の態様のいずれか１態様に記載の測定補助具において、前記第一部材および前記第二部材は、板状に形成され、前記連結部は、前記第一部材と前記第二部材とを所定角度範囲内で回転可能にするヒンジ機構によって構成されていることを特徴とする。
本発明の第５の態様は、眼鏡フレームを装用する被験者の眼鏡装用パラメータについて測定を行う際に用いられる測定補助方法であって、第一部材に対する第二部材の相対位置が移動可能となるように前記第一部材と前記第二部材とが連結部を介して連結されてなる測定補助具を用意するとともに、当該測定補助具の前記第二部材が有する被撮像面に所定サイズの測定基準スケールを形成しておき、前記測定補助具における前記第一部材を前記眼鏡フレームまたは前記被験者の顔の少なくとも一方と所定関係の位置に配し、前記第一部材に連結する前記第二部材を、前記被撮像面が前記被験者の顔側面または顔正面のいずれか一方と共に撮像されるように位置させ、その状態で得られる撮像結果に含まれる前記被撮像面上の前記測定基準スケールを基に当該撮像結果の寸法キャリブレーションを行い、前記眼鏡フレームまたは前記被験者の顔の少なくとも一方と前記第一部材との位置関係を維持したまま当該第一部材に対する前記第二部材の相対位置を移動して、当該第二部材を前記顔側面または前記顔正面のいずれか他方と共に撮像されるように位置させ、その状態で得られる撮像結果に含まれる前記被撮像面上の前記測定基準スケールを基に当該撮像結果の寸法キャリブレーションを行うことを特徴とする測定補助方法である。
【発明の効果】
【０００８】
本発明によれば、眼鏡装用パラメータの測定にあたり、その測定のための撮像画像に関するキャリブレーションを、簡便かつ精度良く行うことが可能になる。
【図面の簡単な説明】
【０００９】
【図１】眼鏡装用パラメータの具体例を示す説明図である。
【図２】本発明の一実施形態における測定補助具の構成例を示す説明図である。
【図３】本発明の一実施形態における測定補助具の使用態様の一具体例を示す説明図である。
【発明を実施するための形態】
【００１０】
以下、本発明の実施形態を、図面に基づいて説明する。
ここでは、以下のような項分けをして説明を行う。
１．測定補助具の概要
２．眼鏡装用パラメータの具体例
３．測定補助具の構成例
４．測定補助具を使用した測定補助方法の手順
５．本実施形態の効果
６．変形例等
【００１１】
＜１．測定補助具の概要＞
先ず、測定補助具の概要について説明する。
本実施形態で説明する測定補助具は、眼鏡フレームを装用する被験者の眼鏡装用パラメータについて測定を行う際に用いられるものである。さらに具体的には、眼鏡装用パラメータの測定を行うべく、眼鏡フレームを装用した状態の被験者（眼鏡装用者）の顔側面および顔正面を撮像する場合において、その顔側面および顔正面と共に撮像されることで、実空間内での物の大きさと撮像画像上での当該物の大きさとを関連付けるキャリブレーション（較正）を可能にするために用いられる。
【００１２】
＜２．眼鏡装用パラメータの具体例＞
ここで、本実施形態において測定される眼鏡装用パラメータについて説明する。
図１は、眼鏡装用パラメータの具体例を示す説明図である。
【００１３】
本実施形態において測定される眼鏡装用パラメータには、被験者が前記眼鏡フレームを装用した状態における角膜頂点間距離、フレーム前傾角、フィッティングポイント位置および瞳孔間距離が含まれる。
【００１４】
角膜頂点間距離は、図１（ａ）に示すように、被験者（眼鏡装用者）が遠方視したときの視軸を遠方視軸Ａとした場合において、その遠方視軸Ａ上における当該被験者の眼球Ｅの角膜頂点から眼鏡レンズＬの内面までの距離ＣＶＤである。
【００１５】
フレーム前傾角は、一般には眼鏡フレームのテンプルとリムとがなす角度のことを言うが、本実施形態では、図１（ａ）に示すように、遠方視軸Ａと眼鏡レンズＬの外面上で直交する直線Ｌ１と、その遠方視軸Ａ上での眼鏡レンズＬの外面における接線Ｌ２とがなす角度αのことを言う。
【００１６】
フィッティングポイント位置は、図１（ｂ）に示すように、眼鏡フレームのデータムライン（レンズ上下幅の中央に位置する水平線）Ｄからフィッティングポイント（被験者の瞳孔の位置）までの距離ＦＰである。
【００１７】
瞳孔間距離は、図１（ｂ）に示すように、被験者が遠方視したときの左右眼の瞳中心間距離ＰＤである。本実施形態における瞳孔間距離ＰＤには、右眼の瞳孔中心から眼鏡フレームのブリッジの中心までの距離である右眼単眼瞳孔距離ＰＤＲと、左眼の瞳孔中心から眼鏡フレームのブリッジの中心までの距離である左眼単眼瞳孔距離ＰＤＬとが含まれるものとする。
【００１８】
これらの眼鏡装用パラメータは、本実施形態における具体例に過ぎない。つまり、眼鏡装用パラメータは、これらに限定されることはなく、これらの少なくとも一つを含んでいればよく、またこれら以外のものを含んでいても構わない。これら以外のものとしては、例えば、フレーム反り角、近方視角膜頂点間距離、近方視瞳孔間距離、眼球回旋角等が挙げられる。
【００１９】
＜３．測定補助具の構成例＞
次に、眼鏡装用パラメータの測定を行う際に用いられる測定補助具の構成例について説明する。
図２は、本発明の一実施形態における測定補助具の構成例を示す説明図である。
【００２０】
本実施形態で説明する測定補助具１は、図２に示すように、第一部材１０と、第二部材２０と、連結部３０とを備えて構成されている。
【００２１】
（第一部材）
第一部材１０は、例えば平面形状が矩形状（例えば長方形状）の板状材によって形成されており、被験者の顔または当該被験者が装用している眼鏡フレームの少なくとも一方と所定関係の位置に配されるものである。ここでいう「所定関係の位置に配される」とは、当該位置にて当該所定関係を保つように配されることを意味する。また、「所定関係」は、眼鏡装用パラメータの測定に好適となるように予め設定された位置関係のことをいい、その一具体例として被験者の利き目側で当該被験者が装用する眼鏡フレームのテンプルと接する位置関係または当該テンプルの近傍に位置する関係が挙げられる。ただし、ここで挙げたのは一具体例に過ぎず、眼鏡装用パラメータの測定に好適となるように予め設定された位置関係であれば、眼鏡フレームのリムと接する位置関係または被検者の顔の近傍に位置する関係等のような他の例であっても「所定関係」に該当し得る。このような「所定関係の位置」への配置は、第一部材１０を眼鏡フレームのテンプルに引っ掛けるように構成することで行うようにしてもよいし、第一部材１０をクリップ等の取り付け具を利用して眼鏡フレームのテンプルに取り付けることで行うようにしてもよいし、第一部材１０を眼鏡フレームのテンプルに貼り付けることで行うようにしてもよい。また、眼鏡フレームのテンプルに取り付けるのではなく、眼鏡装用パラメータの測定者が第一部材１０を手で把持することで行うようにしてもよい。つまり、第一部材１０の支持固定態様については、特に限定されるものではない。
このような支持固定にあたり、第一部材１０は、例えば樹脂材料を用いて軽量に形成されていることが望ましい。
【００２２】
（第二部材）
第二部材２０は、例えば平面形状が第一部材１０と同等の大きさの矩形状（例えば長方形状）の板状材によって形成されている。そして、板状材の一方の面側に、眼鏡装用パラメータの測定のために眼鏡フレームを装用した状態の被験者の顔と共に撮像される被撮像面２１を有している。この被撮像面２１には、詳細を後述するように、所定サイズの測定基準スケール２２が形成されている。
この第二部材２０についても、第一部材１０と同様に、例えば樹脂材料を用いて軽量に形成されていることが望ましい。
【００２３】
（連結部）
連結部３０は、第一部材１０と第二部材２０とを連結するものである。ただし、連結部３０は、第一部材１０に対する第二部材２０の相対位置を移動可能とし、かつ、その相対位置を任意位置で維持し得るように、第一部材１０と第二部材２０とを連結する。なお、ここでいう「任意位置」には、詳細を後述するように、第二部材２０における被撮像面２１が被験者の顔側面と共に撮像される位置と、第二部材２０における被撮像面２１が被験者の顔正面と共に撮像される位置とが含まれるものとする。
このような連結態様を簡易な構成で実現するために、連結部３０は、第一部材１０と第二部材２０とを所定角度範囲内で回転可能（図中矢印Ｒ参照）にするヒンジ機構によって構成されている。ヒンジ機構は、矩形板状の第一部材１０および第二部材２０の一端縁に配される。これにより、第一部材１０と第二部材２０とは、ヒンジ機構からなる連結部３０を介して連結されるとともに、そのヒンジ機構の連結軸を中心にして互いの成す角度が変化することになる。また、ヒンジ機構であれば、例えば当該ヒンジ機構を構成する連結軸とその軸受け部との嵌め合い寸法の調整により、第一部材１０と第二部材２０との相対位置が移動可能で、かつ、移動後の状態を任意位置で維持し得るような機構を容易に実現することが可能となる。
なお、連結部３０を構成するヒンジ機構についても、連結軸を除き、第一部材１０および第二部材２０と同様に、例えば樹脂材料を用いて軽量に形成されていることが望ましい。
【００２４】
（測定基準スケール）
上述した構成の測定補助具１において、第二部材２０の被撮像面２１には、測定基準スケール２２が形成されている。測定基準スケール２２は、眼鏡装用パラメータ測定時のキャリブレーションを行うための基準として用いられるもので、所定サイズの図形によって構成されている。所定サイズの図形（すなわち被撮像面２１上での図形の大きさが既知であるもの）であれば、測定基準スケール２２は、例えば一次元方向に延びるものであってもよいが、被撮像面２１上にて二次元の各方向に延びる図形の組み合わせからなるものが望ましい。本実施形態における測定基準スケール２２は、図例のように、平面形状が長方形状の被撮像面２１上に、四つの線分を長方形状に配置した図形部分と、これを囲うように三つの線分をコ字状に配置した図形部分とを組み合わせて構成されている。これにより、本実施形態における測定基準スケール２２は、長辺と短辺が二次元の各方向に延びるＬ字状の図形部分を少なくとも二つ含むことになる。しかも、これらの各図形部分は、対応する長辺同士および短辺同士が互いに平行となる位置関係にある。
【００２５】
測定基準スケール２２を構成する図形は、撮像画像上で認識可能となるように、被撮像面２１の地色とのコントラストを確保し得る色が付されているものとする。具体的には、例えば被撮像面２１の地色が白色であれば、黒色、青色または赤色等の図形によって測定基準スケール２２を構成することが考えられる。
【００２６】
なお、ここで挙げた測定基準スケール２２は単なる一具体例に過ぎず、所定サイズ（すなわち大きさが既知である）図形によって構成されていれば、他の図形パターンによって構成されていても構わない。
【００２７】
＜４．測定補助具を使用した測定補助方法の手順＞
次に、上述した構成の測定補助具１を使用して行う測定補助方法の手順について説明する。
図３は、本発明の一実施形態における測定補助具の使用態様の一具体例を示す説明図である。
【００２８】
測定補助具１は、眼鏡フレームＦを装用する被験者の眼鏡装用パラメータについて測定を行う際に、以下に述べるようにして用いられる。なお、ここでは、眼鏡フレームＦを装用した状態の被験者の顔側面ＳＦを撮像して眼鏡装用パラメータのうちの角膜頂点間距離ＣＶＤおよびフレーム前傾角αを求めた後に、その被験者の顔正面ＦＦを撮像して眼鏡装用パラメータのうちのフィッティングポイント位置ＰＤおよび瞳孔間距離ＰＤを求める場合を例に挙げる。
【００２９】
（被験者の顔側面の撮像時）
例えば、眼鏡フレームＦを装用した状態の被験者の顔側面ＳＦを撮像する場合には、先ず、測定補助具１を閉じた状態、すなわち連結部３０を構成するヒンジ機構の連結軸を中心にして第一部材１０と第二部材２０とが重なるように折り畳んだ状態にしておく（例えば図２（ａ）参照）。そして、第一部材１０と第二部材２０とを折り畳んだ状態のまま、その第一部材１０を被験者の利き目側で当該被験者の顔または当該被験者が装用している眼鏡フレームＦの少なくとも一方と所定関係の位置に配する。さらに詳しくは、連結部３０が眼鏡フレームＦのリムＲ側に位置しつつ、第二部材２０の被撮像面２１が外方側（被験者の顔面側とは反対側）に向くような状態で、第一部材１０を配する。これらの作業は、眼鏡装用パラメータの測定者（例えば眼鏡店の店員）が行う。
【００３０】
これにより、測定補助具１は、図３（ａ）に示すように、第二部材２０の被撮像面２１が、その長辺が眼鏡フレームＦのテンプルＴに沿った方向に延び、その短辺がこれと垂直方向に延びるような姿勢で、被験者の顔の側面側に撮像可能な状態で位置することになる。
なお、このとき、被撮像面２１は、その一端縁が被験者の眼球Ｅの角膜頂点の位置に合致するように配することが考えられるが、必ずしもこれに限定されることはなく、被撮像面２１の一端縁が角膜頂点の位置から離れるようにしても構わない。また、図例では、被撮像面２１が眼鏡フレームＦのテンプルＴの近傍に当該テンプルＴから離れて位置することになる場合を示しているが、これに限定されることはなく、被撮像面２１が眼鏡フレームＦのテンプルＴと接するように配されていても構わない。
【００３１】
被撮像面２１を被験者の顔の側面側に位置させたら、その後は、測定補助具１の被撮像面２１上に形成された測定基準スケール２２と共に、眼鏡フレームＦを装用した状態の被験者の顔側面ＳＦの画像を撮像する。このときの撮像は、被験者の顔の位置決めを要することがないので、従来のような大掛かりな構成の眼鏡装用パラメータ測定装置（例えば特許文献１参照）ではなく、撮像機能および情報処理機能を有した携帯型端末装置（例えばタブレット型端末）やコンピュータ装置へのデータ転送が可能な撮像カメラ等を用いつつ、被験者にとって自然な姿勢で行うことが可能である。以下、本実施形態において撮像に用いる携帯型端末装置の撮像機能や撮像カメラ等を、単に「カメラ部」と称する。なお、カメラ部による撮像は、眼鏡装用パラメータの測定者（例えば眼鏡店の店員）が行う。
【００３２】
撮像する際には、被験者の顔の位置決めを要さないことから、顔側面ＳＦがカメラ部と正対せずに傾いてしまうこともあり得る。そのため、撮像にあたっては、例えば、当該撮像のためのファインダー内に矩形状のガイド枠を表示し、被撮像面２１上に形成された測定基準スケール２２の矩形状部分をガイド枠に合わせるようにし、当該矩形状部分がガイド枠に合ったときに撮像を行うようにすることが考えられる。このようにすれば、傾きが無い状態で被験者の顔側面ＳＦおよび測定補助具１の被撮像面２１を撮像し得るからである。
例えば、被撮像面２１がカメラ部と正対せずに傾いている場合には、その被撮像面２１上の測定基準スケール２２の矩形状部分がファインダー内で歪んで矩形状ではなくなってしまい、そのファインダー内のガイド枠に合致しなくなる。つまり、ファインダー内のガイド枠に測定基準スケール２２の矩形状部分が合致していれば、被撮像面２１がカメラ部と正対している状態にあると言えるので、その状態で撮像を行うことで、傾きが無い状態での被験者の顔側面ＳＦの撮像結果が得られる。
このとき、被撮像面２１上の測定基準スケール２２が当該被撮像面２１上にて二次元の各方向に延びる図形の組み合わせからなるものであれば、当該二次元の各方向のいずれについても、傾きが無い状態とすることができる。
しかも、二次元の各方向に延びる図形が少なくとも二つのＬ字状図形部分を含むものであれば、ファインダー内のガイド枠についてもこれに対応したものとすることで、ファインダー内で合致させるべき箇所が複数存在することになるので、測定基準スケール２２のガイド枠への合わせが行い易くなり、その結果として撮像する際の傾き排除の高精度化が期待できる。
【００３３】
このようにして得られる撮像結果を基にして、その撮像結果を取得した携帯型端末装置やコンピュータ装置等における情報処理機能は、その撮像結果である画像上で、測定すべき眼鏡装用パラメータのうちの角膜頂点間距離ＣＶＤおよびフレーム前傾角αを求める。撮像画像上での角膜頂点間距離ＣＶＤおよびフレーム前傾角αの求め方については、例えば当該撮像画像上で角膜頂点位置並びに眼鏡フレームＦのリムＲの上端位置および下端位置を指定し、これらの指定点を必要に応じて適宜結んで得られる距離を認識することで算出することが考えられるが、これに限定されることはなく、他の公知の算出手法を利用しても構わない。
【００３４】
ただし、このとき、少なくとも角膜頂点間距離ＣＶＤについては、撮像画像上で求めるために、実空間内での大きさと撮像画像上での大きさとを関連付けるキャリブレーション（較正）が必要となる。ただし、得られた撮像画像中には、測定補助具１の被撮像面２１上に形成された測定基準スケール２２の画像が含まれている。そして、測定基準スケール２２は、所定サイズの図形によって構成されており、その図形の大きさ（すなわち実空間内での大きさ）が既知となっている。したがって、撮像画像上での処理を行う情報処理機能は、測定基準スケール２２を構成するいずれかの図形部分を用いて、実空間内での大きさと撮像画像上での大きさとを関連付けるキャリブレーションを行い、撮像画像上でのスケール変換を行うことが可能となる。
【００３５】
キャリブレーションに用いる測定基準スケール２２の図形部分は、ある程度の大きさを有したものであることが望ましい。キャリブレーションの高精度化を図るためである。例えば、画素数が１２００万画素であるカメラ部を用いて当該カメラ部から４００ｍｍ程度の距離に測定補助具１の被撮像面２１を正対させて当該被撮像面２１を撮像する場合には、キャリブレーションに用いる測定基準スケール２２の図形部分が６０ｍｍ以上の大きさ（長さ）を有したものであれば、その図形部分の撮像画像上での測長ばらつきを±０．３ｍｍ以内に抑えられる。ところが、それよりも小さいと、測長ばらつきが大きくなってしまうことがわかっている。このことから、測定基準スケール２２の図形部分は、ある程度の大きさ（例えば６０ｍｍ以上の大きさ）を有したものであることが望ましいのである。
【００３６】
（被験者の顔正面の撮像時）
その後、眼鏡フレームＦを装用した状態の被験者の顔正面ＦＦを撮像する場合は、測定補助具１の第一部材１０が配された位置（すなわち、被験者の顔または眼鏡フレームＦの少なくとも一方に対して所定関係の位置）を保ったまま、その測定補助具１の連結部３０を構成するヒンジ機構の連結軸を中心にして第二部材２０を移動させる。そして、測定補助具１が開いた状態、すなわち連結部３０を支点にして第一部材１０と第二部材２０とが例えば９０°±２０°程度の角度を成す状態にし（例えば図２（ｂ）参照）、その状態を維持しておく。第二部材２０の移動は、例えば、眼鏡装用パラメータの測定者（例えば眼鏡店の店員）が行う。
【００３７】
これにより、測定補助具１は、図３（ｂ）に示すように、第二部材２０の被撮像面２１が、その長辺が眼鏡フレームＦのデータムラインＤに沿った方向に延び、その短辺がこれと垂直方向に延びるような姿勢で、被験者の顔の正面側に撮像可能な状態で位置することになる。
このとき、被撮像面２１は、被験者の顔側面ＳＦの撮像時に当該被撮像面２１の一端縁が被験者の眼球の角膜頂点の位置に合うように配されていれば、その一端縁側に位置する連結部３０を中心にして第二部材２０が移動するので、その移動後には被験者の眼球の角膜頂点と同一平面上またはこれと同視できる平面上に位置することになる。
【００３８】
被撮像面２１を被験者の顔の正面側に位置させたら、その後は、測定補助具１の被撮像面２１上に形成された測定基準スケール２２と共に、眼鏡フレームＦを装用した状態の被験者の顔正面ＦＦの画像を撮像する。このときの撮像についても、上述した顔側面ＳＦの場合と同様に、被験者の顔の位置決めを要することがないので、大掛かりな構成の眼鏡装用パラメータ測定装置（例えば特許文献１参照）ではなく、眼鏡装用パラメータの測定者（例えば眼鏡店の店員）が操作するカメラ部を用いつつ、被験者にとって自然な姿勢で行うことが可能である。
【００３９】
撮像する際には、被験者の顔の位置決めを要さないことから、顔正面ＦＦがカメラ部と正対せずに傾いてしまうこともあり得る。そのため、撮像にあたっては、上述した顔側面ＳＦの場合と同様に、当該撮像のためのファインダー内に表示される矩形状のガイド枠を利用して、被撮像面２１がカメラ部と正対している状態（すなわち傾きが無い状態）で被験者の顔正面ＦＦおよび測定補助具１の被撮像面２１の撮像を行うようにすることが考えられる。
【００４０】
このようにして得られる撮像結果を基にして、その撮像結果を取得した携帯型端末装置やコンピュータ装置等における情報処理機能は、その撮像結果である画像上で、測定すべき眼鏡装用パラメータのうちのフィッティングポイント位置ＦＰおよび瞳孔間距離ＰＤを求める。撮像画像上でのフィッティングポイント位置ＦＰおよび瞳孔間距離ＰＤの求め方については、例えば当該撮像画像上で瞳孔中心位置並びに眼鏡フレームＦのリムＲの上端位置および下端位置を指定し、これらの指定点を必要に応じて適宜結んで得られる距離を認識することで算出することが考えられるが、これに限定されることはなく、他の公知の算出手法を利用しても構わない。
【００４１】
このときも、実空間内での大きさと撮像画像上での大きさとを関連付けるキャリブレーション（較正）が必要となる。このキャリブレーションは、撮像画像中に被撮像面２１上の測定基準スケール２２の画像が含まれているので、上述した顔側面ＳＦの場合と同様に行うことが可能である。
【００４２】
なお、本実施形態では、被験者の顔側面ＳＦを撮像した後に、続いて、顔正面ＦＦの撮像を行う場合を例に挙げて説明したが、これらの順は逆であっても構わない。逆に行う場合であっても、測定補助具１は、第一部材１０が配された位置を保ったまま、連結部３０を支点にして第二部材２０を移動させることで、顔側面ＳＦと顔正面ＦＦのそれぞれの撮像に対応することが可能である。
【００４３】
＜５．本実施形態の効果＞
本実施形態で説明した測定補助具１およびこれを用いて行う測定補助方法によれば、以下のような効果が得られる。
【００４４】
本実施形態の測定補助具１は、第一部材１０が眼鏡フレームＦまたは被験者の顔の少なくとも一方と所定関係の位置に配され、これと連結される第二部材２０が被験者の顔と共に撮像される被撮像面２１を有しており、その被撮像面２１上には測定基準スケール２２が形成されている。そのため、被撮像面２１上の測定基準スケール２２を用いれば、実空間内での物の大きさと撮像画像上での当該物の大きさとを関連付けるためのキャリブレーション（較正）を行うことが可能となる。つまり、被験者の顔の撮像結果を基にして眼鏡装用パラメータを測定する場合であっても、被験者の顔の位置決めを行う必要がなく、被験者に窮屈さを感じさせずに、しかもキャリブレーションを経ることで眼鏡装用パラメータの測定を精度良く行うことが可能となる。このように、本実施形態の測定補助具１は、キャリブレーションを可能にするための手段として機能する。
しかも、本実施形態の測定補助具１は、眼鏡装用パラメータの測定にあたり、複数の撮像結果（例えば顔側面ＳＦの画像や顔正面ＦＦの画像等）が必要な場合であっても、第一部材１０が配された位置を保持したまま、その第一部材１０に対する第二部材２０の相対位置を移動させるだけで、複数の撮像結果のそれぞれに被撮像面２１上の測定基準スケール２２を含ませることが可能となる。つまり、複数の撮像結果に対応すべくそれぞれに別個の手段を用意する必要がなく、一つの測定補助具１を用意すれば第二部材２０の位置を移動させるだけで複数の撮像結果に対応し得るので、キャリブレーションのための手段が簡素なもので済み、また眼鏡装用パラメータの測定処理の煩雑化を招くこともなく、当該測定処理に際しての利便性向上が図れる。さらには、第二部材２０の位置を移動させるだけで複数の撮像結果に対応し得るので、複数の撮像結果が必要な場合であっても、そのために測定補助具１の付け替え（装着し直し）を行ったり、被験者が顔の向きを移動させたりすることを要さず、この点でも測定処理に際しての利便性向上が図れると言える。
以上のように、本実施形態の測定補助具１によれば、眼鏡装用パラメータの測定にあたり、その測定のための撮像画像に関するキャリブレーションを、簡便かつ精度良く行うことが実現可能となる。
【００４５】
特に、本実施形態で説明したように、測定補助具１の第二部材２０における被撮像面２１を、少なくとも被験者の顔側面ＳＦと共に撮像される位置および被験者の顔正面ＦＦと共に撮像される位置の両位置に選択的に配するようにすれば、眼鏡装用パラメータとして角膜頂点間距離ＣＶＤ、フレーム前傾角α、フィッティングポイント位置ＦＰおよび瞳孔間距離ＰＤのそれぞれを測定する上で非常に好適なものとなる。つまり、これらの眼鏡装用パラメータはそれぞれが眼鏡レンズの設計や製造販売等に欠かせないものであるが、本実施形態の測定補助具１によれば、これらの眼鏡装用パラメータの各項目について、一つの測定補助具１を用意すればそれぞれの測定に対応し得るようになる。したがって、一つの測定補助具１を用意すれば済むので、それぞれの測定の簡便化が図れ、その結果としてそれぞれの測定を行う上で非常に好適なものとなるのである。
【００４６】
また、本実施形態の測定補助具１は、第一部材１０と第二部材２０とを連結する連結部３０がヒンジ機構によって構成されている。そのため、第一部材１０と第二部材２０との相対位置を移動可能に連結する場合であっても、その連結態様を簡易な構成で実現することができる。しかも、ヒンジ機構であれば、第一部材１０と第二部材２０との相対位置が移動可能で、かつ、移動後の状態を任意位置で維持し得るような機構を容易に実現することが可能となる。
【００４７】
また、本実施形態の測定補助具１は、眼鏡装用パラメータの測定にあたり、角膜頂点間距離ＣＶＤを測定する都合上の理由から、第一部材１０が被験者の利き目側に配されて用いられる。被験者の利き目は、右眼であるか左眼であるかが当該被験者によって異なる。これに対して、本実施形態の測定補助具１は、ヒンジ機構によって構成される連結部３０が矩形板状の第一部材１０および第二部材２０の一端縁に配されているので、当該測定補助具１を配する際の天地方向を逆転させるだけで、被験者の利き目が右眼である場合と左眼である場合とのいずれにも対応し得るようになる。したがって、被験者の利き目がどちら側であるかに拘らず、一つの測定補助具１を用意すれば済むので、それぞれの場合に対応して個別に用意する場合に比べると、眼鏡装用パラメータ測定の簡便化が図れ、当該眼鏡装用パラメータ測定を行う上で非常に好適なものとなる。
【００４８】
＜６．変形例等＞
以上に本発明の実施形態を説明したが、上述した開示内容は、本発明の例示的な実施形態を示すものである。すなわち、本発明の技術的範囲は、上述の例示的な実施形態に限定されるものではない。
【００４９】
例えば、本実施形態では、測定補助具１を構成する第一部材１０および第二部材２０がいずれも矩形状の板状材によって形成されている場合を例に挙げたが、本発明はこれに限定されるものではない。すなわち、第一部材１０は、被験者の顔または当該被験者が装用している眼鏡フレームＦの少なくとも一方と所定関係の位置に配されるものであれば、どのような形状または部材で形成されていてもよい。また、第二部材２０は、被撮像面２１を有しており、かつ、第一部材１０に対する相対位置が移動可能に当該第一部材１０と連結されたものであれば、どのような形状または部材で形成されていてもよい。
このことは、第二部材２０における被撮像面２１に形成された測定基準スケール２２についても同様のことが言える。すなわち、測定基準スケール２２は、少なくとも所定サイズの図形部分を含んで構成されており、望ましくは被撮像面２１上にて二次元の各方向に延びる図形の組み合わせからなるものであれば、本実施形態で例に挙げたような矩形状の図形パターンによるものではなく、例えば三角形状または五角形以上の多角形状の図形パターンや離間した線分図形が組み合わされてなる図形パターン等であっても構わない。
【００５０】
また、例えば、本実施形態では、測定補助具１を構成する第一部材１０、第二部材２０および連結部３０が主として樹脂材料によって形成されている場合を例に挙げたが、本発明はこれに限定されるものではない。測定補助具１が樹脂材料を用いて軽量に形成されていれば、所定関係位置への支持固定を容易かつ確実なものとし得る点で非常に好ましいが、樹脂以外の材料（例えば金属材料）で形成されていても、所定関係位置への支持固定を行うことは実現可能であり、その場合であっても上述したような眼鏡装用パラメータ測定の簡便化等が図れるようになる。
【００５１】
また、例えば、本実施形態では、第一部材１０と第二部材２０とを連結する連結部３０がヒンジ機構によって構成されている場合を例に挙げたが、本発明はこれに限定されるものではない。すなわち、連結部３０は、第一部材１０に対する第二部材２０の相対位置が移動可能となるように第一部材１０と第二部材２０とを連結するものであれば、ヒンジ機構以外の機構（例えばフレキシブル継手機構）によって構成されていても構わない。
【符号の説明】
【００５２】
１…測定補助具、１０…第一部材、２０…第二部材、２１…被撮像面、２２…測定基準スケール、３０…連結部
【図１】
2015049378.tif 000003
【図２】
2015049378.tif 000004
【図３】
2015049378.tif 000005